(57)【要約】【課題】戸体に施錠装置を設けることなく、簡易な構造で利便性の高い開口部装置を提供する。【解決手段】建物開口部の４辺に沿って取り付けられた枠体１０と、枠体の内側に配置された袖枠１５と、該枠体と袖枠とに囲まれた内側に配置された戸体２０と、袖枠と戸体とを係合離脱させることにより施解錠を可能とする施錠装置３０、３０とを備えた開口部装置１において施錠装置の操作部が袖枠に備えられる。【選択図】図２
2007154602.tif 000002
【特許請求の範囲】
【請求項１】
建物開口部の４辺に沿って取り付けられた枠体と、
前記枠体の内側に配置された袖枠と、
前記枠体と前記袖枠とに囲まれた内側に配置された戸体と、
前記袖枠と前記戸体とを係合離脱させることにより施解錠を可能とする施錠装置と、を備えた開口部装置であって、
前記施錠装置の操作部が前記袖枠に備えられることを特徴とする開口部装置。
【請求項２】
前記施錠装置が、
前記袖枠の内側に設けられた錠箱と、
前記錠箱から突没可能に設けられたデッドボルトと、
前記錠箱に一端を取り付けられ、他端側が前記袖枠を貫いて室外側に露出して配置されたシリンダー錠と、
前記錠箱に一端を取り付けられ、他端側が前記袖枠を貫いて室内側に露出して配置された室内側ユニットと、を有し、
前記戸体には、前記デッドボルトと係合離脱可能に設けられた被係合部を備え、
前記袖枠側から突出した前記デッドボルトが前記被係合部に係合することにより施錠状態とされ、前記袖枠側に没した前記デットボルトが前記被係合部から離脱することにより解錠状態とされることを特徴とする請求項１に記載の開口部装置。
【請求項３】
前記袖枠の内側に換気ユニットが備えられるとともに、前記袖枠の前記換気ユニットが備えられた部位の室内外面には室内外方向に貫通した換気口が設けられることを特徴とする請求項１又は２に記載の開口部装置。
【発明の詳細な説明】
【技術分野】
【０００１】
本発明は、戸建やマンション、オフィスビルや公共施設等の建物の開口部に備えられる開口部装置に関し、詳しくは施錠装置の操作部が袖枠に備えられる開口部装置に関する。
【背景技術】
【０００２】
近年において建物のデザインや機能に関する需要者の要求が多様化し、建物の各所において該建物を構成する設備や装置にデザイン及び機能が付加されている。玄関等の建物開口部に備えられる開口部装置も例外ではなく、特に玄関は建物の主要な出入り口であることから多くの機能や高いデザイン性が求められている。
【０００３】
図４に従来の玄関における開口部装置のうちの戸体１２０を室外側斜視図で示した。図４では、戸体１２０の施錠装置１３０が備えられる部分を拡大し、室外側に配置される面材を省略している。よって、図４からは従来における戸体１２０への施錠装置１３０の取り付け状態を見ることができる。従来において施錠装置１３０は開口部装置の戸体１２０に備えられていた。具体的には施錠装置１３０は、戸体１２０の内部に設けられ、枠体と係合離脱して戸体１２０の施解錠状態を決めるデッドボルト１３１ａを有する錠箱１３１と、該錠箱１３１を室内側から操作する室内側ユニット（図４では死角となり見えない。）と、錠箱１３１を室外側から操作するシリンダー錠１３２とから構成されていた。そしてこれら錠箱１３１、室内側ユニット、及びシリンダー錠１３２は、ロック部芯材１６０の内側に配置されることにより該ロック部芯材１６０を介して戸体１２０に固定されていた。
【０００４】
特許文献１は、戸体の左右いずれか一端側に仕切り枠を配置し、さらに該仕切り枠と縦枠との間に袖ユニット部を設けて当該袖ユニット部にダクト及び換気口を取り付けたり、傘受け等の便宜上の機能部位を設けたりした開口部装置を開示している。
【０００５】
【特許文献１】特開２００４−４４１５７
【発明の開示】
【発明が解決しようとする課題】
【０００６】
しかし、従来の開口部装置について施錠装置を戸体に取り付けるには、錠箱を戸体の内部に固定するための箱体であるロック部芯材を戸体の内側に配置し、該ロック部芯材の内側に錠箱を取り付けることを要していたので材料及び取り付けのコストがかかる問題があった。また、特許文献１の開口部装置でも施錠装置の操作部を袖ユニットに配置することのできる構成とはされていない。
【０００７】
そこで、本発明は戸体に施錠装置を設けることなく、簡易な構造で利便性の高い開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の４辺に沿って取り付けられた枠体（１０）と、枠体の内側に配置された袖枠（１５）と、枠体と袖枠とに囲まれた内側に配置された戸体（２０）と、袖枠と戸体とを係合離脱させることにより施解錠を可能とする施錠装置（３０、３０）とを備えた開口部装置（１）であって、施錠装置の操作部が袖枠に備えられることを特徴とする開口部装置を提供することにより前記課題を解決する。
【００１０】
ここで開口部装置の戸体の開閉形式は特に限定されるものではない。これには例えばスイング式の戸体を挙げることができるが、袖枠に施錠装置を備えることにより施解錠が可能となる戸体を有していればいずれも本発明の開口部装置とすることが可能である。
【００１１】
施錠装置に関しても形式は限定されるものではない。これについては例えば錠箱の室内外にシリンダー錠及び室内側ユニットを備えた施錠装置を挙げることができる。室内側ユニットとはいわゆるサムターン等を利用して室内側から錠箱を操作可能とするユニットである。いずれにおいても袖枠に操作部を備えて戸体に係合離脱可能である施錠装置であればいずれも本発明の開口部装置に適用することが可能である。
【００１２】
請求項２に記載の発明は、請求項１に記載の開口部装置（１）の施錠装置（３０、３０）が、袖枠（１５）の内側に設けられた錠箱（３１、３１）と、錠箱から突没可能に設けられたデッドボルト（３１ａ、３１ａ）と、錠箱に一端を取り付けられ、他端側が袖枠を貫いて室外側に露出して配置されたシリンダー錠（３２、３２）と、錠箱に一端を取り付けられ、他端側が袖枠を貫いて室内側に露出して配置された室内側ユニット（３３、３３）とを有し、戸体にはデッドボルトと係合離脱可能に設けられた被係合部（３４、３４）を備え、袖枠側から突出したデッドボルトが被係合部に係合することにより施錠状態とされ、袖枠側に没したデットボルトが被係合部から離脱することにより解錠状態とされることを特徴とする。
【００１３】
請求項３に記載の発明は、請求項１又は２に記載の開口部装置（１）の袖枠（１５）の内側に換気ユニット（４４、４４）が備えられるとともに、袖枠の換気ユニットが備えられた部位の室内外面には室内外方向に貫通した換気口（４０、４０、４１、４１）が設けられることを特徴とする。
【発明の効果】
【００１４】
請求項１に記載の発明によれば、袖枠に施錠装置を取り付けたので、使用者は施解錠操作の際におのずと戸体の回動の軌道に干渉しない位置に立つことができる。よって、使用者は解錠後に戸体を開けても体を一度戸体の回動の軌道からはずすように移動しなくても円滑に室内側へ入ることが可能となる。また、解錠中に室内側から突然に戸体が開かれても該戸体に衝突することがない。従って、本発明は利便性及び安全性に優れた開口部装置を提供することができる。
【００１５】
また、戸体に施錠装置の操作部が配置されないので、戸体がシンプルな構造となり、外観にも優れた開口部装置とすることが可能である。
【００１６】
請求項２に記載の発明によれば、錠箱を袖枠に取り付けることができるので、従来は戸体に取り付けるために必要であったロック部芯材を必要とせず、コスト及び施工上も有利な開口部装置を提供することができる。
【００１７】
請求項３に記載の発明によれば、換気の機能を有する袖枠とすることによりさらに利便性の高い開口部装置とすることができる。
【００１８】
本発明のこのような作用及び利得は、次に説明する発明を実施するための最良の形態から明らかにされる。
【発明を実施するための最良の形態】
【００１９】
以下本発明を図面に示す実施形態に基づき説明する。
【００２０】
図１は１つの実施形態にかかる本発明の開口部装置１の正面図である。図１（ａ）は室外側から、図１（ｂ）は室内側から見た図である。開口部装置１は、建物開口部の４辺に沿って設けられた枠体１０と、該枠体の内側に配置された袖枠１５と、枠体１０と袖枠１５とに囲まれる内側に配置された戸体２０とを備えている。さらに詳しくは、枠体１０は、横枠１１、１２と縦枠１３、１４とが組み合わせられることにより形成されている。開口部装置１は図１（ａ）に示したように室外側正面視で障子２０には室外側把手２を備え、袖枠１５には施錠装置３０、３０、換気口４０、４０が備えられている。また、枠体１０と戸体２０とは、縦枠１３と戸体２０とに取り付けられた蝶番５、５、５により連結されている。
【００２１】
さらに、開口部装置１は図１（ｂ）に示したように室内側正面視で障子２０には室内側把手３を有し、袖枠１５には施錠装置３０、３０、換気口４１、４１が備えられている。また、袖枠１５と障子２０とに渡して補助錠４が取り付けられている。
【００２２】
開口部装置１の使用者は、室外側から室内に入る際には、例えば施錠装置３０、３０の前に立ち、シリンダー錠３２、３２（図２参照）を解錠操作して開口部装置１を解錠状態とする。その後使用者は室外側把手２を掴んで戸体２０を紙面手前方向に回動させる等の方法により戸体２０を解放して室内へ入ることができる。このとき本発明の開口部装置１では施錠装置３０、３０が袖枠１５に取り付けられているので、使用者は施錠装置３０、３０を操作するために該施錠装置３０、３０の正面に立つのが通常である。これにより使用者はおのずと戸体２０の回動の軌道に干渉しない位置に立つことができる。従って、使用者は解錠後に戸体２０を開けても体を一度戸体２０の回動の軌道からはずすように移動しなくても円滑に室内側へ入ることが可能となる。また、解錠中に室内側から突然に戸体２０が開かれても該戸体２０に衝突することがない。よって、本発明は利便性及び安全性に優れた開口部装置１を提供することができる。
【００２３】
次に袖枠１５の構造について説明する。図２は開口部装置１の室外側斜視図であり、袖枠１５については分解して示している。図３は開口部装置１の水平断面図で施錠装置３０が現れている部分について示した図である。図３では紙面上が室外側、紙面下が室内側である。図２及び図３を参照しつつ袖枠１５について説明する。
【００２４】
袖枠１５は、凹状断面を有する施錠装置取付部１５ａと、ふた材１５ｂとを備えている。そして、施錠装置取付部１５ａの凹状断面の内側に錠箱３１、３１が配置される。また施錠装置取付部１５ａの内側には換気ユニット４４、４４も設置される。以下に各部材についてさらに説明する。
【００２５】
施錠装置取付部１５ａは、縦枠１４の戸体２０方向に該縦枠１４に沿って設けられた部材で、室内側に底部を有する凹状の断面を有している。当該凹状断面である部分の内側に錠箱３１、３１及び換気ユニット４４、４４が取り付けられている。また、凹状断面の底部で錠箱３１、３１が備えられる部分には室内側から該錠箱３１、３１へ室内側ユニット３３、３３を取り付けるための貫通孔が設けられている。同様に換気ユニット４４、４４が備えられる部分には室内側の換気口４１、４１が設けられている。また、施錠装置取付部１５ａの戸体２０側には後述する錠箱３１、３１に突没するデッドボルト３１ａ、３１ａが貫通する貫通孔も設けられている。
【００２６】
加えて、施錠装置取付部１５ａの戸体２０側端部には、該戸体２０が室内側へ回動しないようにストッパー１５ｃが設けられている。蝶番５、５、５によって戸体２０は室内側へ回動しないようにされているが、いずれかの理由により無理に室内側へ力が加えられたときでも、ストッパー１５ｃにより蝶番５、５、５への負荷がかからず該蝶番５、５、５の破損を防止することができる。
【００２７】
ふた材１５ｂは、室外側から施錠装置取付部１５ａの凹状部分を塞ぐように固定される板状の部材である。該ふた材１５ｂの施錠装置取付部１５ａへの固定方法は特に限定されるものではないが、例えば本実施形態に適用されているようにねじ１６、１６（図３参照）によるものを挙げることができる。この場合は室外側から特別な工具によらないと取り外しができないような特殊なねじが好ましく使用される。このように室外側からでも特別な工具を使用すればふた材１５ｂを取り外すことができるので、例えば施工者は住居者が不在の場合でもその許可を受けて該ふた材１５ｂを取り外し、必要な工事等をすることができる。
【００２８】
また、ふた材１５ｂには錠箱３１、３１が備えられる部分に室外側から該錠箱３１、３１へシリンダー錠３２、３２を取り付けるための貫通孔３５、３５が設けられている。同様に換気ユニット４４、４４が備えられる部分には室外側の換気口４０、４０が設けられている。
【００２９】
施錠装置３０、３０は上述したように施錠装置取付部１５ａに取り付けられる。またその配置も上述したように錠箱３１、３１は施錠装置取付部１５ａの内側、室内側ユニット３３、３３は室内側、シリンダー錠３２、３２は室外側にそれぞれ配置される。また、錠箱３１、３１は、該錠箱３１、３１に突没し、突出した姿勢で戸体２０と係合するデッドボルト３１ａ、３１ａを有している。図３では、該デッドボルト３１ａが錠箱３１から突き出し、戸体２０の被係合部３４に係合している状態を示している。よって図３は施錠時における開口部装置１の状態を示した図である。この状態から使用者が室内側ユニット３３、３３又はシリンダー錠３２、３２を操作し、デッドボルト３１ａ、３１ａを錠箱３１、３１の内側へ収めることにより開口部装置１は解錠状態とされる。
【００３０】
また、図２及び図３からもわかるように、錠箱３１、３１は直接に袖枠１５の施錠装置取付部１５ａに取り付けられている。よって従来のようにロック部芯材を必要としないので、簡易的な構造で開口部装置１を形成することが可能となる。これはコストを抑えることにもなり、需要者にとって利益の高い開口部装置１を提供することができる。
【００３１】
換気ユニット４４、４４は電動式の換気ユニットであり、使用者の操作により強制的に換気を行うことができる。これにより迅速な換気をすることが可能となる。
【００３２】
本実施形態においては、施錠装置取付部１５ａには施錠装置３０、３０の他には換気ユニット４４、４４、及び換気口４０、４０、４１、４１が設けられたが、施錠装置以外の機能性設備や機能性部材はいずれのようなものが取り付けられていても良い。これには例えばインターホンや傘立て、新聞受け等を挙げることができる。
【００３３】
以上のような開口部装置１とすることによって、簡易的な構造であるにもかかわらず、使用者は施解錠時に安全で、解錠後には円滑に出入りすることが可能となる。また、袖枠１５に多くの機能的部材を取り付けることもできるので、利便性の高い開口部装置１となる。
【００３４】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置も本発明の技術的範囲に包含されるものとして理解されなければならない。
【図面の簡単な説明】
【００３５】
【図１】本発明の１つの実施形態にかかる開口部装置の室外側及び室内側正面図である。
【図２】開口部装置の室外側斜視図で袖枠については分解して示した図である。
【図３】開口部装置において施錠装置が備えられた部位が見えるようにして示した水平断面図である。
【図４】従来の開口部装置のうちの戸体に設けられた施錠装置の部分に注目して概略的に示した室外側斜視図である。
【符号の説明】
【００３６】
１  開口部装置
２  室外側把手
３  室内側把手
４  補助錠
５  蝶番
１０  枠体
１１  横枠
１２  横枠
１３  縦枠
１４  縦枠
１５  袖枠
２０  戸体
３０  施錠装置
４０  換気口
４１  換気口
４４  換気ユニット
【図１】
2007154602.tif 000003
【図２】
2007154602.tif 000004
【図３】
2007154602.tif 000005
【図４】
2007154602.tif 000006